(57)【要約】【課題】ごみ箱内に生ごみを投棄する毎に、先にごみ箱内に収容されている生ごみから発せられる臭気を外部に放出させないように工夫してなる防臭機構を備えたごみ箱を提供すること。【解決手段】ごみ箱本体１の上部に第１のごみ収容室２を設け、第１のごみ収容室の下部に第２のごみ収容室３を設けてなり、第１のごみ収容室の上部には、外蓋手段４によって開放・閉止されるごみ投入口５を備え、第１のごみ収容室の下部には、第１のごみ収容室と第２のごみ収容室の間を連通・分離するシャッター手段６を備えてなり、外蓋手段並びにシャッター手段の選択的操作によって、ごみ投入口から投入されるごみを第１のごみ収容室内に封閉状態に隔離収容した後、前記第２のごみ収容室内に落下移動させるようにしたことを特徴とする防臭機構を備えたごみ箱。【選択図】図１
0003108149.tif 000002
【実用新案登録請求の範囲】
【請求項１】
ごみ箱本体の上部に第１のごみ収容室を設け、前記第１のごみ収容室の下部に第２のごみ収容室を設けてなり、前記第１のごみ収容室の上部には、外蓋手段によって開放・閉止されるごみ投入口を備え、前記第１のごみ収容室の下部には、前記第１のごみ収容室と前記第２のごみ収容室の間を連通・分離するシャッター手段を備えてなり、前記外蓋手段並びにシャッター手段の選択的操作によって、前記ごみ投入口から投入されるごみを前記第１のごみ収容室内に封閉状態に隔離収容した後、前記第２のごみ収容室内に落下移動させるようにしたことを特徴とする防臭機構を備えたごみ箱。
【請求項２】
前記第２のごみ収容室内に、ごみ袋を上方に向けて大きく開口する状態で支持するごみ袋支持手段を設けてなることを特徴とする請求項１に記載の防臭機構を備えたごみ箱。
【請求項３】
前記ごみ箱本体に、前記ごみ袋の開口側を封閉するためのごみ袋の開口封閉手段を設けたことを特徴とする請求項１または請求項２に記載の防臭機構を備えたごみ箱。
【考案の詳細な説明】
【技術分野】
【０００１】
この考案は、ごみ箱の構造に関するものであり、特に、時間の経過にともない異臭や、悪臭を放つような生ごみのためのごみ箱に対するものであって、ごみ箱内に生ごみを投棄する毎に、先にごみ箱内に収容されている生ごみから発せられる臭気を外部に放出させないように工夫してなる防臭機構を備えたごみ箱に関するものである。
【背景技術】
【０００２】
周知のように、異臭・悪臭を放つ生ごみのためのごみ箱に関しては、多様な構成のものが開発され、提供されてきている。従来、生ごみを投棄処理する場合、生ごみをその都度小袋に収納して、開口部を封止した状態で大きなごみ箱に投棄している。この場合、臭気の問題はクリアするものの、小袋が多大に消費される点において、経済的にも、環境衛生的にも大きな問題を有するものであった。さらに、従来の生ごみ用のごみ箱では、ごみ箱本体内に脱臭剤あるいは消臭剤を配設した構成のものが提供されてきている。しかしながら、上記する脱臭剤あるいは消臭剤による構成のものは、当該脱臭剤あるいは消臭剤を頻繁に交換しなければならず、その作業性の面においても、経済的な面においても極めて不合理なものであった。
【考案の開示】
【考案が解決しようとする課題】
【０００３】
そこで、この考案では、時間の経過にともない異臭や、悪臭を放つような生ごみのためのごみ箱を提供するに際し、構造的には、極めて簡素化し得る構造でなっていて、機能的には、ごみ箱内に生ごみを投棄する毎に、先にごみ箱内に収容されている生ごみから発せられる臭気を外部に放出させないように工夫してなる防臭機構を備えたごみ箱を提供するものである。
【課題を解決するための手段】
【０００４】
この考案は、上記する目的を達成するにあたって、請求項１に記載の考案は、ごみ箱本体の上部に第１のごみ収容室を設け、前記第１のごみ収容室の下部に第２のごみ収容室を設けてなり、前記第１のごみ収容室の上部には、外蓋手段によって開放・閉止されるごみ投入口を備え、前記第１のごみ収容室の下部には、前記第１のごみ収容室と前記第２のごみ収容室の間を連通・分離するシャッター手段を備えてなり、前記外蓋手段並びにシャッター手段の選択的操作によって、前記ごみ投入口から投入されるごみを前記第１のごみ収容室内に封閉状態に隔離収容した後、前記第２のごみ収容室内に落下移動させるようにしたことを特徴とする防臭機構を備えたごみ箱を構成するものである。
【０００５】
さらに、この考案において請求項２に記載の考案は、請求項１に記載の防臭機構を備えたごみ箱であって、前記第２のごみ収容室内に、ごみ袋を上方に向けて大きく開口する状態で支持するごみ袋支持手段を設けてなることを特徴とするものである。
【０００６】
さらにまた、この考案において請求項３に記載の考案は、請求項１または請求項２に記載の防臭機構を備えたごみ箱であって、前記ごみ箱本体に、前記ごみ袋の開口側を封閉するためのごみ袋の開口封閉手段を設けたことを特徴とするものである。
【考案の効果】
【０００７】
この考案になる防臭機構を備えたごみ箱は、ごみ箱本体の上部に第１のごみ収容室を設け、この第１のごみ収容室の下部に第２のごみ収容室を設けてなり、第１のごみ収容室の上部には、外蓋手段によって開放・閉止されるごみ投入口を備え、第１のごみ収容室の下部には、第１のごみ収容室と第２のごみ収容室の間を連通・分離するシャッター手段を備えたことにより、第１および第２のごみ収容室をそれぞれ分離して遮断することができ、ごみ箱内に生ごみを投棄する毎に、先にごみ箱内に収容されている生ごみから発せられる臭気を外部に放出させることなく使用することができ、防臭効果が高く、環境衛生的にも安全なごみ箱を提供し得る点において極めて有効に作用するものといえる。
【考案を実施するための最良の形態】
【０００８】
以下、この考案になる防臭機構を備えたごみ箱について、図面に示す具体的な実施例に基づいて詳細に説明する。図１は、この考案になる防臭機構を備えたごみ箱の一実施例を示すものであって、図１Ａは、外蓋を開いて、ごみ投入口を介して第１のごみ収容室を開放した状態を示す概略的な側断面図であり、図１Ｂは、外蓋を閉めた状態で、シャッター手段を開いて、第１のごみ収容室と第２のごみ収容室間を連通した状態を示す概略的な側断面図である。図２は、この考案になる防臭機構を備えたごみ箱の操作手順を示す概略的な側断面図である。図３は、第２のごみ収容室に配してあるごみ袋の封止の手順を示すものであって、図３Ａおよび図３Ｂは、概略的な横断面図であり、図３Ｃは、図３Ｂに対応する概略的な側断面図である。
【０００９】
まず、この考案になる防臭機構を備えたごみ箱ＤＢは、ごみ箱本体１により構成されるものであり、前記ごみ箱本体１は、その上部側に第１のごみ収容室２を備え、当該第１のごみ収容室２の下部に第２のごみ収容室３を備えたものからなっている。前記第１のごみ収容室２の上部には、外蓋手段４によって開放・閉止されるごみ投入口５が設けてあり、前記第１のごみ収容室２の下部には、前記第１のごみ収容室２と前記第２のごみ収容室３の間を連通・分離するシャッター手段６が設けてある。
【００１０】
前記外蓋手段４は、例えば、図１に示すように、前記ごみ箱本体１の頂面１ａに設けてあるごみ投入口５に対して、これを開放ないしは閉止するものであって、前記ごみ箱本体１の頂面１ａに設けた枢支部７と、前記枢支部７に取り付けてある蓋体８によって構成してある。この外蓋手段４は、他の例として、図１Ａにおいて仮想線で示すように、蓋体８と、ごみ箱本体１の下部に設けた足踏みペダル９とをリンク機構１０で連結しておき、前記足踏みペダル９の踏み込みによって蓋体８を開く方向に駆動するように構成したものであってもよい。
【００１１】
一方、前記シャッター手段６は、例えば、図１Ａおよび図１Ｂに示すように、前記第１のごみ収容室２の下部側に位置していて、前記第１のごみ収容室２と前記第２のごみ収容室３の間を連通・分離するように出没するシャッター片１１と、このシャッター片１１を出没駆動するシャッター片駆動機構１２とからなっている。前記シャッター片１１は、前方に向けて下がる方向に傾斜したガイド１３によって摺動可能に支持されている。前記シャッター片駆動機構１２は、前記ごみ箱本体１の上部近傍に設けてある枢支軸１４に取り付けられている操作バー１５を含むものからなっており、前記操作バー１５の一端側１５ａには、操作ハンドル１６が取り付けられており、他端側１５ｂには索条１７が取り付けてある。前記索条１７は、ガイドローラ１８を介して、その自由端側が前記シャッター片１１に連結してある。
【００１２】
上記する構成から明らかなように、前記シャッター手段６は、図１Ａに示す状態において、前記第１のごみ収容室２と前記第２のごみ収容室３の間をシャッター片１１によって分離遮断する。この状態から前記操作ハンドル１６を矢印Ｙ１方向に押動すると、操作バー１５、索条１７を介して前記シャッター片１１が矢印Ｙ２の方向に向けて移動し、前記第１のごみ収容室２と前記第２のごみ収容室３の間を連通する。前記シャッター手段６に対しては、前記シャッター片１１が閉じる方向に向けて復帰するようにスプリングＳｐを設けておくこともできる。
【００１３】
このシャッター手段６に関連して、図中、参照符号１９で示すものは、スキージィであって、前記シャッター手段６におけるシャッター片１１の移動中に、当該シャッター片１１の表面に付着する生ごみなどｄを排除するためのものとして機能する。また、この考案になる防臭機構を備えたごみ箱ＤＢは、前記シャッター手段６の押動操作中に、当該ごみ箱ＤＢが転倒しないようにするため、前記ごみ箱本体１の下部に踏み板２０を設けておくこともできる。
【００１４】
一方、この考案になる防臭機構を備えたごみ箱ＤＢにおいて、前記ごみ箱本体１は、前記第１のごみ収容室２を形成する第１のごみ箱体２１と、前記第２のごみ収容室３を形成する第２のごみ箱体２２とからなっていて、前記第１のごみ箱体２１と前記第２のごみ箱体２２とは分離することができるようになっている。このような分離タイプの構成において、前記第２のごみ収容室３内には、ごみ袋２３を交換可能な状態で、且つ、ごみ袋支持手段２４により上方に向けて大きく開口させた状態で配置することができる。前記ごみ袋支持手段２４は、前記第２のごみ箱体２２の上に前記第１のごみ箱体２１をセットする際、前記ごみ袋２３の開口縁２３ａを前記第２のごみ箱体２２と前記第１のごみ箱体２１との間に挟み込むことによるものである。
【００１５】
前記ごみ袋２３の開口側を封閉するための封閉手段２５の一例を図３に示す。このごみ袋の開口封閉手段２５は、両端にフック素子２６Ａ、２６Ｂを備えた紐部材２７と、この紐部材２７を第２のごみ箱体２２の上部側においループ状に配列支持する紐支持手段２８とによって構成されている。このような構成によれば、前記フック素子２６Ｂを矢印Ｙ３の方向に引くことによって、前記ごみ袋２３の開口縁側を封閉することができる。
【００１６】
次いで、この考案になる防臭機構を備えたごみ箱ＤＢの操作手順について、図２に示す一実施例にもとづいて説明する。図１Ａは、当該ごみ箱ＤＢが適宜のごみ箱設置場所に置かれている通常の状態を示すものであり、外蓋手段４並びにシャッター手段６のいずれもが閉状態を維持している。生ごみｄなどを投棄する利用者は、先ず、外蓋手段４を開状態にして、該生ごみｄなどをごみ投入口５から第１のごみ収容室２内に投入する（図２Ｂ参照）。前記外蓋手段４を開けて、何回分かの生ごみなどを第１のごみ収容室２内に投入した後、前記外蓋手段４を閉じ（図２Ｃ参照）、その後に前記シャッター手段６における操作ハンドル１６を矢印Ｙ１方向に押動してシャッター片１１を引き上げ、第１のごみ収容室２と第２のごみ収容室３の間を連通し、第１のごみ収容室２内の生ごみなどを第２のごみ収容室３内に落下させることができる（図２Ｄ参照）。しかる後、前記シャッター手段６を復帰操作することによって、前記シャッター片１１によって第１のごみ収容室２と第２のごみ収容室３の間を分離遮断することができ、第２のごみ収容室３内に落下した生ごみを遮断することができる（図２Ｅ参照）。この図２Ｅに示す状態は、図２Ａに示す状態と同じである。したがって、生ごみｄを投棄するごとに、第２のごみ収容室３内の臭気は外部に漏れることがなくなる。
【図面の簡単な説明】
【００１７】
【図１】図１は、この考案になる防臭機構を備えたごみ箱の具体的な実施例を示すものであって、図１Ａは、外蓋を開いて、ごみ投入口を介して第１のごみ収容室を開放した状態を示す概略的な側断面図であり、図１Ｂは、外蓋を閉めた状態で、シャッター手段を開いて、第１のごみ収容室と第２のごみ収容室間を連通した状態を示す概略的な側断面図である。
【図２】図２各図は、この考案になる防臭機構を備えたごみ箱の操作手順を示す概略的な側断面図である。
【図３】図３は、第２のごみ収容室に配してあるごみ袋の封止の手順を示すものであって、図３Ａおよび図３Ｂは、概略的な横断面図であり、図３Ｃは、図３Ｂに対応する概略的な側断面図である。
【符号の説明】
【００１８】
ＤＢ  防臭機構を備えたごみ箱
ｄ  生ごみなど
１  ごみ箱本体
２  第１のごみ収容室
３  第２のごみ収容室
４  外蓋手段
５  ごみ投入口
６  シャッター手段
７  蓋体枢支部
８  蓋体
９  足踏みペダル
１０  リンク機構
１１  シャッター片
１２  シャッター片駆動機構
１３  傾斜したガイド
１４  操作バーの枢支軸
１５  操作バー
１６  操作ハンドル
１７  索条
１８  ガイドローラ
Ｓｐ  復帰スプリング
１９  スキージィ
２０  踏み板
２１  第１のごみ箱体
２２  第２のごみ箱体
２３  ごみ袋
２４  ごみ袋支持手段
２５  ごみ袋の開口封閉手段
【図１】
0003108149.tif 000003
【図２】
0003108149.tif 000004
【図３】
0003108149.tif 000005